(57)【要約】【課題】ＩＣカードから読み取った利用履歴情報を印刷して経費の請求を行う場合の不適切な請求を防止すること。【解決手段】印刷装置１は、印刷部６と、非接触型のＩＣカード２に記憶される利用履歴情報を読み取る読取部である非接触通信部７２と、非接触通信部７２で読み取った利用履歴情報を記憶する第１記憶部８１と、利用履歴情報に含まれる時刻情報Ｔに基づいて、第１記憶部８１から所定時間内の利用履歴情報を抽出し、抽出した利用履歴情報を第２記憶部８２に記憶するとともに、印刷部６に印刷させる制御部８０を備える。例えば、第１記憶部８１に記憶させた利用履歴情報の中から、ユーザーの勤務時間中の特定の項目（例えば、運賃）の利用履歴を抽出し、第２記憶部８２に記憶されている利用履歴情報との差分を抽出し、差分のみを印刷する。【選択図】図７
2018147011.tif 000002
【特許請求の範囲】
【請求項１】
印刷部と、
ＩＣカードに記憶される利用履歴情報を読み取る読取部と、
前記読取部で読み取った前記利用履歴情報を記憶する第１記憶部と、
前記利用履歴情報に含まれる時刻情報に基づいて、前記第１記憶部から所定時間内の前記利用履歴情報を抽出し、抽出した前記利用履歴情報を第２記憶部に記憶するとともに、前記印刷部に印刷させる制御部と、を備える印刷装置。
【請求項２】
前記制御部は、
前記第２記憶部に前記利用履歴情報が記憶されている場合、前記第１記憶部から、前記第２記憶部に記憶されている前記利用履歴情報を除いた前記所定時間内の前記利用履歴情報を抽出する、請求項１に記載の印刷装置。
【請求項３】
前記ＩＣカードは、交通系ＩＣカードである、請求項１または２に記載の印刷装置。
【請求項４】
前記利用履歴情報は、項目情報、および、前記項目情報に対応する金額情報をさらに含む、請求項１から３のいずれか一項に記載の印刷装置。
【請求項５】
前記制御部は、
前記第１記憶部から、特定の種類の前記項目情報を含む前記所定時間内の前記利用履歴情報を抽出する、請求項４に記載の印刷装置。
【請求項６】
前記制御部は、
前記項目情報に基づいて、前記利用履歴情報がユーザーの業務利用に該当するか否かを判別し、前記第１記憶部から、前記業務利用に該当する前記所定時間内の前記利用履歴情報を抽出する、請求項４に記載の印刷装置。
【請求項７】
外部装置との間で通信を行う通信部をさらに備え、
前記制御部は、
前記外部装置から受信した情報に基づいて、前記所定時間を決定する、請求項１から６のいずれか一項に記載の印刷装置。
【請求項８】
前記外部装置から受信した情報は、勤怠情報である、請求項７に記載の印刷装置。
【請求項９】
ＩＣカードに記憶される利用履歴情報を読み取り、読み取った前記利用履歴情報を第１記憶部に記憶し、前記利用履歴情報に含まれる時刻情報に基づいて、前記第１記憶部から所定時間内の前記利用履歴情報を抽出し、抽出した前記利用履歴情報を第２記憶部に記憶するとともに、抽出した前記利用履歴情報を印刷する、印刷装置の制御方法。
【請求項１０】
前記第２記憶部に前記利用履歴情報が記憶されている場合、前記第１記憶部から、前記第２記憶部に記憶されている前記利用履歴情報を除いた前記所定時間内の前記利用履歴情報を抽出する、請求項９に記載の印刷装置の制御方法。
【発明の詳細な説明】
【技術分野】
【０００１】
本発明は、ＩＣカードに記憶された情報を読み取って印刷する印刷装置およびその制御方法に関する。
【背景技術】
【０００２】
特許文献１には、ＩＣカードに対して情報の読み書きを行うことができるカード処理機能付き印刷装置が開示されている。特許文献１の印刷装置は、ＩＣカードから読み取った情報をＰＯＳ端末あるいはＰＯＳサーバへ送信する。また、決済情報などのカード書込みデータを生成してＩＣカードへ書き込む。ＩＣカードへ決済情報を書き込んだ場合はレシートの発行を省略できるが、その後にレシートが必要になった場合は、カードに書き込んだ決済情報に基づいてレシートを発行することができる。
【先行技術文献】
【特許文献】
【０００３】
【特許文献１】特開２００５−２８０３５３号公報
【発明の概要】
【発明が解決しようとする課題】
【０００４】
特許文献１のカード処理機能付き印刷装置では、ＩＣカードに書き込まれた情報に基づいてレシートを発行できるため、印刷されたレシートに基づいて経費を請求することができる。ここで、Ｓｕｉｃａ（登録商標）などの交通系ＩＣカードを用いて業務上の交通費の立て替え払いを行うことがあるが、交通系ＩＣカードでの運賃の支払いにはレシートが発行されないため、ユーザーの自己申告のみに基づいて経費が請求される。そこで、運賃などのレシートが発行されない業務上の支払いに対しては、ユーザー側でＩＣカードから利用履歴情報を読み取って印刷し、印刷した内容に基づいて経費の請求を行うことが提案されている。
【０００５】
しかしながら、交通系ＩＣカードには直近の利用履歴情報だけでなく、所定の件数の利用履歴情報が蓄積される。従って、交通系ＩＣカードから読み取った利用履歴情報を全て印刷すると、請求対象の利用履歴情報だけでなく、既に請求した利用履歴情報まで印刷される可能性がある。同一の利用履歴情報を何度でも印刷できてしまうと、間違って、あるいは、不正に重複請求が行われるおそれがある。
【０００６】
また、個人のＩＣカードを用いて業務上の支払いを行った場合は、そのＩＣカードの利用履歴情報には、個人利用の利用履歴情報と業務利用の利用履歴情報とが混在することになる。従って、個人利用の利用履歴情報を、間違って、あるいは不正に経費として請求してしまうおそれがある。
【０００７】
本発明の課題は、このような点に鑑みて、ＩＣカードから読み取った情報を印刷して経費の請求を行う場合の不適切な請求を防止することにある。
【課題を解決するための手段】
【０００８】
上記の課題を解決するために、本発明の印刷装置は、印刷部と、ＩＣカードに記憶される利用履歴情報を読み取る読取部と、前記読取部で読み取った前記利用履歴情報を記憶する第１記憶部と、前記利用履歴情報に含まれる時刻情報に基づいて、前記第１記憶部から所定時間内の前記利用履歴情報を抽出し、抽出した前記利用履歴情報を第２記憶部に記憶するとともに、前記印刷部に印刷させる制御部と、を備えることを特徴とする。
【０００９】
また、本発明の印刷装置の制御方法は、ＩＣカードに記憶される利用履歴情報を読み取り、読み取った前記利用履歴情報を第１記憶部に記憶し、前記利用履歴情報に含まれる時刻情報に基づいて、前記第１記憶部から所定時間内の前記利用履歴情報を抽出し、抽出した前記利用履歴情報を第２記憶部に記憶するとともに、抽出した前記利用履歴情報を印刷することを特徴とする。
【００１０】
本発明の印刷装置およびその制御方法によれば、ＩＣカードの利用履歴情報に含まれる時刻情報に基づいて、所定時間内の利用履歴情報を抽出して印刷することができる。従って、所定時間外の利用履歴情報については印刷しないようにすることができるため、経費の請求対象とならない所定時間外の利用履歴に基づいて不適切な経費の請求が行われることを防止できる。
【００１１】
本発明において、前記第２記憶部に前記利用履歴情報が記憶されている場合、前記第１記憶部から、前記第２記憶部に記憶されている前記利用履歴情報を除いた前記所定時間内の前記利用履歴情報を抽出することが望ましい。このように、第２記憶部に記憶されている利用履歴情報との差分を抽出することにより、所定時間外の利用履歴情報の中から、既に印刷した利用履歴情報を除いた分の利用履歴情報のみを印刷することができる。従って、同一の利用履歴情報が何度も印刷されることを防止できるため、同一の利用履歴情報に基づく重複請求を防止できる。
【００１２】
本発明は前記ＩＣカードが交通系ＩＣカードである場合に適用できる。交通系のＩＣカードは利用時にレシートが発行されないため、利用履歴情報を読み取って印刷することにより、レシートに代わる書類として経費請求に用いることができる。
【００１３】
本発明において、前記利用履歴情報は、項目情報、および、前記項目情報に対応する金額情報をさらに含むことが望ましい。これらの情報を印刷することにより、経費請求を行う際に、項目および金額を明確にすることができる。
【００１４】
本発明において、前記制御部は、前記第１記憶部から、特定の種類の前記項目情報を含む前記所定時間内の前記利用履歴情報を抽出することが望ましい。あるいは、前記制御部は、前記項目情報に基づいて、前記利用履歴情報がユーザーの業務利用に該当するか否かを判別し、前記第１記憶部から、前記業務利用に該当する前記所定時間内の前記利用履歴情報を抽出することが望ましい。このようにすると、特定の項目の利用履歴情報、例えば、運賃のみを抽出して印刷することができる。また、業務利用に該当する時間帯の利用履歴情報のみを抽出して印刷することができる。従って、不適切な項目の利用履歴情報に基づいて不適切な経費請求が行われることを防止できる。
【００１５】
本発明において、外部装置との間で通信を行う通信部をさらに備え、前記制御部は、前記外部装置から受信した情報に基づいて、前記所定時間を決定することが望ましい。この場合に、前記外部装置から受信した情報は、勤怠情報であることが望ましい。このようにすると、実際に勤務した時間を記録した勤怠情報に基づいて利用履歴情報を抽出できる。従って、不適切な日時の利用履歴情報に基づいて不適切な経費請求が行われることを防止できる。
【図面の簡単な説明】
【００１６】
【図１】本発明を適用した印刷装置の概略断面図である。
【図２】印刷装置を示す概略ブロック図である。
【図３】ＩＣカードに記憶される利用履歴情報の説明図である。
【図４】利用履歴情報の抽出過程の説明図である。
【図５】１回目の印刷のフローチャートである。
【図６】１回目の印刷結果を示す説明図である。
【図７】２回目以降の印刷のフローチャートである。
【図８】２回目の印刷結果を示す説明図である。
【発明を実施するための形態】
【００１７】
以下に、図面を参照して、本発明を適用した印刷装置およびその制御方法の実施形態を説明する。
【００１８】
（印刷装置）
図１は本発明を適用した印刷装置の概略断面図である。図１に示すように、印刷装置１は、ロール紙１０から繰り出される記録紙１１の搬送経路である用紙搬送路３と、用紙搬送路３の所定位置で記録紙１１への印刷を行う印刷部６を備える。印刷部６とロール紙１０との間には紙送りローラー対１２が配置される。また、紙送りローラー対１２の近傍には図示しない用紙検出器が配置される。印刷部６はサーマルヘッド６１およびプラテンローラー６２を備えており、記録紙１１はプラテンローラー６２の回転によって搬送される。印刷部６は、サーマルヘッド６１の熱を放熱する放熱板６３と、サーマルヘッド６１をプラテンローラー６２に向けて付勢する押圧バネ６４と、サーマルヘッド６１の位置をプラテンローラー６２から離れた位置とプラテンローラー６２に接近した位置に切り換えるヘッド位置切換機構６５を備える。
【００１９】
印刷装置１の筐体２０の上面には、操作パネル２１と、カード挿入口２２と、排紙口２３が設けられている。用紙搬送路３を通過した印刷済みの記録紙１１は、排紙口２３の内側に設けられたオートカッター２４で切断され、筐体２０の外部へ排出される。
【００２０】
また、印刷装置１は、ＩＣカード２が取り込まれるカード搬送路４と、カード搬送路４に沿ってＩＣカード２を搬送するカード搬送機構４０と、カード搬送路４へ取り込まれたＩＣカード２に対して情報の読み書きを行うカードリーダ／ライタ７を備える。カード搬送路４は、一部が用紙搬送路３と共通の共通経路５となっており、共通経路５に印刷部６が配置されている。従って、ＩＣカード２の表面に感熱記録層が設けられている場合には、共通経路５を通過するＩＣカード２の感熱記録層にサーマルヘッド６１を接触させて印刷を行うこともできる。
【００２１】
カード搬送機構４０は、カード挿入口２２の内側に設けられたカード送りローラー対４１と、このカード送りローラー対４１を回転させる図示しないカード送りモーターを備える。また、カード送りローラー対４１の近傍には、図示しないカード検出器が配置されている。カードリーダ／ライタ７は、カード搬送路４の最も奥に設けられている。カードリーダ／ライタ７は、接触型および非接触型のＩＣカード２に対して情報の読み書きを行う。そのため、カードリーダ／ライタ７は、接触型のＩＣカード２に設けられたＩＣチップの端子と接触するＩＣカード接点７１を備える。また、カードリーダ／ライタ７は、非接触通信部７２を備える。
【００２２】
非接触通信部７２は、非接触型のＩＣカード２に搭載されたＮＦＣチップから近距離無線通信で情報を読み取るユニットであり、例えば、ＮＦＣ（Ｎｅａｒ  Ｆｉｅｌｄ  Ｃｏｍｍｕｎｉｃａｔｉｏｎ）の規格に準拠した近距離無線通信を行う。なお、本形態では、非接触通信部７２は、カード搬送路４に取り込まれたＩＣカード２と近距離無線通信を行うようになっているが、非接触通信部７２を筐体２０の裏面に配置し、筐体２０の外側からＩＣカード２を非接触通信部７２に近づけてＩＣカード２から情報を読み取るように構成することもできる。
【００２３】
図２は印刷装置１を示す概略ブロック図である。印刷装置１は、印刷部６およびカードリーダ／ライタ７等を制御してＩＣカード２に対する情報の読み書きや記録紙１１への印刷を行う制御部８０を備える。制御部８０は、ＣＰＵなどの処理装置、不揮発性メモリーであるＲＯＭ、揮発性メモリーであるＲＡＭ等を備える。制御部８０は、ＣＰＵを複数備えていても良いし、ＣＰＵに代えて、またはＣＰＵに加えてＡＳＩＣや信号処理回路等を１つまたは複数備えていてもよい。制御部８０は、例えばＣＰＵが、ＲＯＭ、ＲＡＭに記憶されたファームウェア等のプログラムを読み出して処理を実行し、また例えばＡＳＩＣに実装された機能により処理を実行し、また例えば信号処理回路で信号処理を行って処理を実行する等、ハードウェアとソフトウェアとの協働により各種の処理を実行する。
【００２４】
印刷装置１は不揮発性の記憶部である第１記憶部８１および第２記憶部８２を備える。なお、第１記憶部８１は揮発性の記憶部でもよい。制御部８０は、第１記憶部８１および第２記憶部８２にＩＣカード２から読み取った情報を記憶させる。また、印刷装置１は、外部装置１００との間で通信を行うための通信部８３を備える。制御部８０は通信部８３と接続され、通信部８３を介して外部装置１００と通信を行う。また、制御部８０は、ＩＣカード２から読み取った情報を外部装置１００に送信して、外部装置１００から決済情報等を受信して記録紙１１に印刷する。また、制御部８０は、ＩＣカード２から読み取ったＩＤ情報を外部装置１００に送信し、外部装置１００からＩＤ情報に対応付けられた勤務時間を受信する。
【００２５】
制御部８０には、図示しない用紙検出器やカード検出器が接続される。制御部８０は、これら図示しない用紙検出器やカード検出器の出力に基づいて、記録紙１１の搬送と、ＩＣカード２の取り込みおよび排出を行う。また、制御部８０には、印刷部６、カードリーダ／ライタ７、カード搬送機構４０、操作パネル２１に設けられた操作部や表示部等が接続される。上述したように、カードリーダ／ライタは、非接触のＩＣカード２から情報を読み取る読取部である非接触通信部７２を備える。制御部８０は、操作パネル２１に設けられた表示部への表示内容を制御する。また、制御部８０は、操作パネルに設けられた操作部からの操作入力を受け付けて操作入力に対応する処理を行う。
【００２６】
制御部８０は、記録紙１１をサーマルヘッド６１による印刷位置へ送り込む際には、ヘッド位置切換機構６５を駆動してサーマルヘッド６１をプラテンローラー６２から離間させ、この状態でプラテンローラー６２および紙送りローラー対１２を連動して回転させ、共通経路５へ記録紙１１を送り込む。このとき、用紙検出器によって記録紙１１の先端を検出し、記録紙１１の搬送位置を制御する。記録紙１１の先端がサーマルヘッド６１とプラテンローラー６２の間に到達すると、制御部８０は、ヘッド位置切換機構６５を駆動してサーマルヘッド６１をプラテンローラー６２に接近させ、サーマルヘッド６１とプラテンローラー６２との間に記録紙１１を挟み込む。この状態で、サーマルヘッド６１を駆動し、且つ、プラテンローラー６２および紙送りローラー対１２を連動して回転させて、サーマルヘッド６１とプラテンローラー６２との間を通過する記録紙１１に印刷を行う。
【００２７】
また、制御部８０は、ＩＣカード２がカード挿入口２２へ挿入されると、共通経路５から記録紙１１を退避させてＩＣカード２を取り込む。すなわち、制御部８０は、カード挿入口２２へのＩＣカード２の挿入がカード検出器によって検出されると、ヘッド位置切換機構６５を駆動してサーマルヘッド６１をプラテンローラー６２から離間させ、続いてプラテンローラー６２および紙送りローラー対を印刷時と逆方向に回転させ、共通経路５の記録紙１１をロール紙１０側へ退避させる。なお、ロール紙１０を巻き取り方向へ回転させる巻き取り機構を設け、巻き取り機構をプラテンローラー６２および紙送りローラー対と連動して回転させ、共通経路５から退避させた記録紙１１を巻き取ってもよい。そして、共通経路５から記録紙１１を退避させた後にカード搬送機構４０を駆動し、ＩＣカード２を共通経路５へ取り込む。
【００２８】
制御部８０は、ＩＣカード２の先端が、サーマルヘッド６１とプラテンローラー６２とが対向する位置に到達すると、ヘッド位置切換機構６５を駆動してサーマルヘッド６１をプラテンローラー６２に接近させ、サーマルヘッド６１とプラテンローラー６２との間にＩＣカード２を挟み込む。そして、プラテンローラー６２の回転によってＩＣカード２をカードリーダ／ライタ７側へ搬送する。例えば、接触型のＩＣカード２を取り込む場合は、ＩＣカード２に設けられたＩＣチップの端子とＩＣカード接点７１とが接触する位置までＩＣカード２を搬送する。あるいは、非接触型のＩＣカード２を取り込む場合は、ＩＣカード２搭載されたＮＦＣチップが非接触通信部７２と通信可能になる位置までＩＣカード２を搬送する。そして、ＩＣカード２に対する情報の読み書きを行う。
【００２９】
制御部８０は、ＩＣカード２に対する情報の読み書き動作が終了したら、ＩＣカード２の排出動作を行う。すなわち、プラテンローラー６２をＩＣカード２の取り込み時と逆方向に回転させるとともに、カード搬送機構４０のカード送りローラー対４１を取り込み時と逆方向に回転させ、カード挿入口２２からＩＣカード２を排出する。
【００３０】
制御部８０は、ＩＣカード２が感熱記録層を備えている場合は、感熱記録層に印刷を行うこともできる。例えば、共通経路５へ取り込まれたＩＣカード２をサーマルヘッド６１とプラテンローラー６２との間に挟み込み、この状態で、サーマルヘッド６１を駆動し、且つ、プラテンローラー６２を回転させ、サーマルヘッド６１とプラテンローラー６２との間を通過するＩＣカード２の感熱記録層に印刷を行う。
【００３１】
（ＩＣカードから読み取った利用履歴情報の印刷）
非接触型のＩＣカード２には、交通系ＩＣカードが含まれる。交通系ＩＣカードには、所定件数（例えば、２０件）を上限として利用履歴情報が記憶される。利用履歴情報が所定件数記憶された場合、以降は古い利用履歴情報から順に消去され、新しい利用履歴情報に書き換えられる。例えば、ＩＣカード２には、自動券売機等を利用してユーザーが入金処理を行うことによって入金した金額がチャージされる。このような入金処理は、１件の利用履歴情報として記憶される。また、改札でＩＣカード２の入場処理あるいは出場処理を行うと、入場処理および出場処理がそれぞれ１件の利用履歴情報として記憶される。さらに、ＩＣカード２を利用して店舗や自動販売機で物品を購入して購入処理を行った場合、購入処理が利用履歴情報としてＩＣカード２に記憶される。
【００３２】
図３はＩＣカード２に記憶される利用履歴情報の説明図である。利用履歴情報は、少なくとも、時刻情報Ｔ、項目情報Ｐ、金額情報Ｍを含む。時刻情報Ｔは利用日時であり、例えば、上述した入金処理、入場処理、出場処理、購入処理が行われた日時の情報である。項目情報Ｐは、利用内容（利用種別）を示す情報であり、例えば、「入金」「入場」「出場」「物販」などの情報である。また、改札を通った場合の利用履歴情報は、「入場」「出場」に加えて「利用駅」の情報を含む。金額情報Ｍは、ＩＣカード２にチャージされている金額（残額）情報である。例えば、入金処理を行った場合の利用履歴情報には、入金前の金額に入金額を加算した入金処理後の残額が金額情報Ｍとして含まれる。また、改札からの出場処理や、購入処理を行った場合の利用履歴情報には、運賃や購入代金を減算した後の残額が金額情報Ｍとして含まれる。なお、入場処理を行っただけではまだ運賃は支払われないため、入場処理に対する金額情報Ｍは、直前の利用履歴情報と同一金額となる。
【００３３】
制御部８０は、ＩＣカード２が交通系ＩＣカードである場合、ＩＣカード２から非接触通信部７２によって利用履歴情報を読み取り、読み取った利用履歴情報を記録紙１１に印刷する。その際、制御部８０は、読み取った利用履歴情報に対して以下の（１）〜（３）の抽出処理を行って、印刷対象の利用履歴情報を抽出する。まず、（１）業務利用に該当しない利用履歴情報を印刷しないようにするため、読み取った利用履歴情報から、勤務時間内の利用履歴情報を抽出する。次に、（２）レシートや領収書が発行されない利用に対する利用履歴情報のみを印刷するため、特定の種類の項目に該当する利用履歴情報を抽出する。例えば、電車などの運賃に該当する項目として、上述した「入場」と「出場」の利用履歴情報を抽出する。そして、（３）既に印刷した利用履歴情報を繰り返し印刷しないようにするため、未印刷の利用履歴情報を抽出する処理を行う。
【００３４】
図４は、利用履歴情報の抽出過程の説明図である。制御部８０は、非接触通信部７２によってＩＣカード２に記憶されている利用履歴情報を読み取る。すなわち、非接触通信部７２は、ＩＣカード２に記憶されている利用履歴情報を読み取る読取部である。このとき、制御部８０は、ＩＣカード２に記憶されている全ての利用履歴情報を読み取る。例えば、上述したように利用履歴情報の記憶数が最大２０件である場合、最大２０件の利用履歴情報を読み取る。
【００３５】
制御部８０は、ＩＣカード２から利用履歴情報を読み取ると、読み取った利用履歴情報を一旦第１記憶部８１に記憶させる。そして、第１記憶部８１に記憶させた利用履歴情報の中から、所定時間内の利用履歴情報を抽出する。所定時間はユーザーの勤務時間である。例えば、ユーザーの勤務時間が月曜日から金曜日の午前９時から午後５時である場合、この時間帯が所定時間（勤務時間）となる。所定時間の情報は、上述したように、外部装置１００との間で通信を行い、ＩＣカード２から読み取ったＩＤ情報に基づいて、外部装置１００からこのＩＣカード２を所有するユーザーの勤務時間の情報を取得することができる。制御部８０は、外部装置１００から受信した勤務時間を示す情報に基づいて、所定時間を決定する。
【００３６】
ここで、所定時間として、「月曜日から金曜日の午前９時から午後５時」のような決まった勤務時間ではなく、ユーザーの残業記録や休暇取得の情報を含めた勤怠情報を用いることもできる。この場合は、制御部８０は、外部装置１００との間で通信を行い、ＩＣカード２から読み取ったＩＤ情報などの識別情報に基づいてユーザーの勤怠情報を取得し、勤怠情報に基づいて所定時間を決定することができる。
【００３７】
なお、所定時間として、「月曜日から金曜日の午前９時から午後５時」のような決まった勤務時間の情報を用いる場合には、この情報を、予め、ＩＣカード２のＩＤ情報と対応付けて第２記憶部８２に記憶させておくこともできる。あるいは、印刷装置１が備える他の不揮発性の記憶部に記憶させておいてもよい。この場合には、外部装置１００と通信を行うことなく、印刷装置１が単独で所定時間内の利用履歴情報を抽出することができる。
【００３８】
また、制御部８０は、所定時間内の利用履歴情報の中から、特定の種類の項目に該当する利用履歴情報を抽出する。例えば、電車などの運賃に該当する項目である「入場」と「出場」に該当する利用履歴情報を抽出する。あるいは、制御部８０は、項目情報Ｐに基づいて、それぞれの利用履歴情報がユーザーの業務利用に該当するか否かを判別し、業務利用に該当する所定時間内の利用履歴情報を抽出する処理をおこなってもよい。例えば、「入場」と「出場」に該当する利用履歴情報を業務利用に該当すると判断し、所定時間内の業務利用である「入場」と「出場」の利用履歴情報を抽出してもよい。
【００３９】
図５は１回目の印刷のフローチャートである。また、図６は１回目の印刷結果を示す説明図である。以下、図３〜図６を参照して、１回目の印刷を行う際の制御を説明する。制御部８０は、ステップＳＴ１（第１ステップ）において、ＩＣカード２から全ての利用履歴情報を読み取る。続いて、ステップＳＴ２（第２ステップ）において、読み取った利用履歴情報を第１記憶部８１に記憶させる。例えば、図３に示すように、１回目の印刷の段階で、ＩＣカード２に９件の利用履歴情報が記憶されている場合、制御部８０は、これら９件の利用履歴情報を読み取って第１記憶部８１に記憶させる。
【００４０】
次に、制御部８０は、ステップＳＴ３（第３ステップ）に進み、第１記憶部８１に記憶させた利用履歴情報の中から、所定時間（勤務時間）内で、且つ、特定の種類の項目（例えば、「入場」と「出場」）の利用履歴情報を抽出する。これにより、例えば、図３に示す例では、９件の利用履歴情報の中から、４番目から７番目までの利用履歴情報が抽出される。
【００４１】
続いて、制御部８０は、ステップＳＴ４に進み、抽出結果（４番目から７番目の利用履歴情報）を第２記憶部８２に記憶させる。これにより、１回目に印刷する利用履歴情報が第２記憶部８２に蓄積されることになる。そして、制御部８０は、ステップＳＴ５に進み、印刷部６を制御して、抽出した利用履歴情報を記録紙１１に印刷する。これにより、１回目の印刷では、図６に示すように、４番目から７番目の利用履歴情報が印刷される。なお、ステップＳＴ４とステップＳＴ５を逆に行っても良い。
【００４２】
図７は２回目以降の印刷のフローチャートである。また、図８は２回目の印刷結果を示す説明図である。以下、図３〜図４、図７〜図８を参照して、２回目の印刷を行う際の制御を説明する。制御部８０は、ステップＳＴ１１（第１ステップ）において、ＩＣカード２から全ての利用履歴情報を読み取る。続いて、ステップＳＴ１２（第２ステップ）において、読み取った利用履歴情報を第１記憶部８１に記憶させる。例えば、図４に示すように、２回目の印刷の段階で、ＩＣカード２に１３件の利用履歴情報が記憶されている場合、制御部８０は、これら１３件の利用履歴情報を読み取って第１記憶部８１に記憶させる。
【００４３】
次に、制御部８０は、ステップＳＴ１３に進み、第１記憶部８１に記憶させた利用履歴情報の中から、所定時間（勤務時間）内で、且つ、特定の種類の項目（例えば、「入場」と「出場」）の利用履歴情報を抽出する。これにより、例えば、図４に示す例では、１３件の利用履歴情報から、４番目から７番目、および、１０番目から１３番目の利用履歴情報が抽出される。
【００４４】
続いて、制御部８０は、既に印刷済みの利用履歴情報を除外するため、ステップＳＴ１４において、ここまでの抽出結果と、第２記憶部８２に記憶された利用履歴情報（前回までの印刷で印刷した利用履歴情報）との差分を抽出する。言い換えれば、ステップＳＴ１４では、第２記憶部８２に利用履歴情報が記憶されている場合に、その利用履歴情報と、ステップＳＴ１３で抽出した利用履歴情報との差分を抽出する。図４に示す例では、第２記憶部８２には、１回目に印刷された４番目から７番目の利用履歴情報が記憶されている。従って、ステップＳＴ１４により、１０番目から１３番目の利用履歴情報だけが抽出される。
【００４５】
次に、制御部８０は、ステップＳＴ１５に進み、抽出した差分（１０番目から１３番目の利用履歴情報）を第２記憶部８２に記憶させる。これにより、１回目に印刷した利用履歴情報に加えて、２回目に印刷する利用履歴情報が第２記憶部８２に蓄積される。続いて、制御部８０は、ステップＳＴ１６に進み、印刷部６を制御して、抽出した差分を記録紙１１に印刷する。これにより、２回目の印刷では、図８に示すように、１０番目から１３番目の利用履歴情報のみが記録紙１１に印刷される。
【００４６】
３回目以降の印刷は、２回目と同様に行われる。例えば、図４に示すように、３回目の印刷の段階で、ＩＣカード２に１８件の利用履歴情報が記憶されている場合、制御部８０は、これら１８件の利用履歴情報を読み取って第１記憶部８１に記憶させる（ステップＳＴ１１〜ＳＴ１２）。次に、所定時間（勤務時間）内で、且つ、特定の種類の項目（例えば、「入場」と「出場」）の利用履歴情報を抽出する（ステップＳＴ１３）。これにより、例えば、図４に示す例では、１８件の利用履歴情報から、４番目から７番目、１０番目から１３番目、および、１６番目から１７番目の利用履歴情報が抽出される。
【００４７】
続いて、ステップＳＴ１４において、ここまでの抽出結果と、第２記憶部８２に記憶された利用履歴情報（前回までの印刷で印刷した利用履歴情報）との差分を抽出する。第２記憶部８２には、１回目と２回目に印刷された４番目から７番目、および、１０番目から１３番目の利用履歴情報が記憶されている。従って、ステップＳＴ１４では、差分として、１６番目から１７番目の利用履歴情報だけが抽出される。ステップＳＴ１５では、抽出した差分（１６番目から１７番目の利用履歴情報）を第２記憶部８２に記憶させる。これにより、２回目に印刷する利用履歴情報が第２記憶部８２に蓄積される。そして、抽出した差分を記録紙１１に印刷する。これにより、３回目の印刷では、１６番目から１７番目の利用履歴情報のみが記録紙１１に印刷される。
【００４８】
（本形態の主な作用効果）
以上のように、本形態の印刷装置１では、ＩＣカード２の利用履歴情報に含まれる時刻情報Ｔに基づいて、所定時間（勤務時間）内の利用履歴情報を抽出して印刷することができる。従って、所定時間外の利用履歴情報については印刷されないため、所定時間外の利用履歴に基づいて不適切な経費の請求が行われることを防止できる。ＩＣカード２が交通系ＩＣカードである場合、運賃の支払いに利用する際にはレシートが発行されない。従って、本形態の印刷装置１によって利用履歴情報を読み取って印刷することにより、レシートに代わる書類として経費請求に用いることができる。
【００４９】
本形態では、第２記憶部８２に利用履歴情報が記憶されている場合、第１記憶部８１に記憶されている利用履歴情報の中から、第２記憶部８２に記憶されている利用履歴情報を除いた所定時間内の利用履歴情報を抽出し、抽出結果を印刷する。このように、第２記憶部８２に記憶されている利用履歴情報との差分を抽出することにより、既に印刷した利用履歴情報を除いた分の利用履歴情報のみを印刷することができる。従って、一度印刷した利用履歴情報については再度印刷されないようにすることができるので、同一の利用履歴情報に基づく重複請求を防止できる。
【００５０】
本形態では、利用履歴情報は、時刻情報Ｔに加えて、項目情報Ｐ、および、項目情報Ｐに対応する金額情報Ｍをさらに含む。また、項目情報Ｐが「入場」「出場」である場合、「利用駅」の情報も含む。従って、これらの情報を印刷することにより、経費請求を行う際に、利用駅と金額を明確にすることができる。
【００５１】
本形態では、第１記憶部８１から、特定の種類の項目情報（例えば、「入場」と「出場」）を含む所定時間（勤務時間）内の利用履歴情報を抽出する。あるいは、項目情報に基づいて、利用履歴情報がユーザーの業務利用に該当するか否かを判別し、第１記憶部８１から、業務利用に該当する所定時間内の利用履歴情報を抽出することもできる。例えば、「入場」と「出場」は業務利用に該当すると判断し、所定時間内の「入場」と「出場」の利用履歴情報を抽出する。これにより、特定の項目の利用履歴情報、例えば、運賃のみを抽出して印刷することができる。また、業務利用に該当する時間帯の利用履歴情報のみを抽出して印刷することができる。従って、不適切な経費請求が行われることを防止できる。
【００５２】
本形態では、外部装置１００との間で通信を行う通信部８３をさらに備え、制御部８０は、外部装置１００から受信した情報に基づいて所定時間を決定することができる。例えば、外部装置１００からユーザーの勤怠情報を受信し、実際に出勤した時間に基づいて所定時間を決定することができる。従って、実際に出勤した時間の利用履歴情報のみを印刷できるため、不適切な経費請求が行われることを防止できる。
【００５３】
（他の実施形態）
（１）上記形態は、サーマルヘッド６１により印刷を行う印刷装置１に本発明を適用したものであったが、本発明は他の印刷方式の印刷装置にも適用可能である。また、上記形態は、接触型および非接触型のＩＣカード２に対して情報の読み書きを行うカードリーダ／ライタ７を備えた印刷装置１に本発明を適用したものであったが、本発明は、非接触型のＩＣカード２に対してのみ情報の読み書きを行う、あるいは、非接触型のＩＣカード２から情報の読み取りのみを行う印刷装置にも適用可能である。この場合、カード搬送路４を備えていなくてもよく、筐体２０の外部から非接触通信部７２が設けられた位置にＩＣカード２をタッチして情報を読み取ることができればよい。
【００５４】
（２）上記形態は、運賃の支払いに対する利用履歴情報を抽出して印刷するものであったが、他の項目の利用履歴情報を抽出して印刷することもできる。その場合、レシートや領収書が発行されない利用履歴情報であることが好ましい。例えば、コピー機などの各種の機器の利用や公衆電話の通話料、高速道路などの有料道路の通行料、入場料の支払いなどの利用履歴情報であってもよい。
【符号の説明】
【００５５】
１…印刷装置、２…ＩＣカード、３…用紙搬送路、４…カード搬送路、５…共通経路、６…印刷部、７…カードリーダ／ライタ、１０…ロール紙、１１…記録紙、１２…紙送りローラー対、２０…筐体、２１…操作パネル、２２…カード挿入口、２３…排紙口、２４…オートカッター、４０…カード搬送機構、４１…カード送りローラー対、６１…サーマルヘッド、６２…プラテンローラー、６３…放熱板、６４…押圧バネ、６５…ヘッド位置切換機構、７１…ＩＣカード接点、７２…非接触通信部（読取部）、８０…制御部、８１…第１記憶部、８２…第２記憶部、８３…通信部、１００…外部装置、Ｍ…金額情報、Ｐ…項目情報、Ｔ…時刻情報。
【図１】
2018147011.tif 000003
【図２】
2018147011.tif 000004
【図３】
2018147011.tif 000005
【図４】
2018147011.tif 000006
【図５】
2018147011.tif 000007
【図６】
2018147011.tif 000008
【図７】
2018147011.tif 000009
【図８】
2018147011.tif 000010